【手続補正書】
【提出日】平成17年9月9日(2005.9.9)
【手続補正１】
【補正対象書類名】明細書
【補正対象項目名】特許請求の範囲
【補正方法】変更
【補正の内容】
【特許請求の範囲】
【請求項１】  洗濯浴中の浮動染料の再付着を抑制する方法において、過酸化物含有洗剤を含有している洗濯浴の中に、洗濯浴１リットルあたり０．５乃至１５０mgの式
【化１】
1999171893.tif 000001
［式中、ｎは１、２または３の数、
Ａは陰イオン、
Ｒ１は水素またはＣ１−Ｃ４アルキル、
Ｙは式−[Ｃ(Ｒ１)２]ｍの直鎖状または分枝状アルキレン（ここで、ｍは１乃至８の整数、Ｒ１は互いに独立的に上記の意味を有する）；−ＣＸ＝ＣＸ−（ここでＸはシアノ、直鎖状または分枝状Ｃ１−Ｃ８アルキルまたはジ（直鎖状または分枝状Ｃ１−Ｃ８アルキル）アミノ；
−(ＣＨ２)ｑ−ＮＲ１−(ＣＨ２)ｑ−（ここでＲ１は上記の意味を有しそしてｑは１、２、３または４である）；または
式
【化２】
1999171893.tif 000002
（各式中、Ｒ７は水素、ＣＨ２ＯＨまたはＣＨ２ＮＨ２またはＳＯ３Ｍであり、ここでＭは水素、アルカリ金属原子、アンモニウムまたはアミンから形成された陽イオンである）の１，２−シクロヘキシレン残基またはフェニレン残基であり、
ＲとＲ’は互いに独立的にシアノ、ハロゲン、ヒドロキシ、ＯＲ１またはＣＯＯＲ１（ここでR１は上記の意味を有する）、ニトロ、直鎖状または分枝状の部分フッ素化または完全フッ素化Ｃ１−Ｃ８アルキル、ＮＲ３Ｒ４（ここでＲ３とＲ４は互いに同種または異種でありうるものであり、かつその各々は水素または直鎖状または分枝状Ｃ１−Ｃ１２アルキルである）、−Ｎ＋Ｒ１Ｒ３Ｒ４(ここで、Ｒ１、Ｒ３、Ｒ４は前記の意味を有する)または直鎖状または分枝状Ｃ１−Ｃ８アルキレン−Ｒ２（ここでＲ２はＯＲ１、ＣＯＯＲ１またはＮＲ３Ｒ４である）であり、
Ｒ５とＲ６は互いに独立的に、水素、直鎖状または分枝状Ｃ１−Ｃ４アルキル、未置換のアリールまたはシアノ、ハロゲン、ＯＲ１またはＣＯＯＲ１（ここでＲ１は上記の意味を有する）、ニトロ、直鎖状または分枝状Ｃ１−Ｃ８アルキル、ＮＲ３Ｒ４（ここでＲ３とＲ４は互いに同種または異種でありうるものであり、かつその各々は水素または直鎖状または分枝状Ｃ１−Ｃ１２アルキルである）によって置換されたアリール、−Ｎ＋Ｒ１Ｒ３Ｒ４(ここで、Ｒ１、Ｒ３、Ｒ４は前記の意味を有する)、または直鎖状または分枝状Ｃ１−Ｃ８アルキレン−Ｒ２（ここでＲ２はＯＲ１、ＣＯＯＲ１またはＮＲ３Ｒ４である）である、
ただし、ＲとＲ’が共にＣ１−Ｃ４アルキルである場合はｎは１である］の化合物の１種またはそれ以上を導入することを特徴とする方法。
【請求項２】  Ｙが−[Ｃ(Ｒ８)２]２(ここで、Ｒ８は水素またはメチルである)、−ＣＸ＝ＣＸ−（ここでＸはシアノである）、−(ＣＨ２)ｑ−ＮＲ８−(ＣＨ２)ｑ−（ここでＲ８は上記の意味を有しそしてｑは１、２、３または４である）；または式
【化３】
1999171893.tif 000003
の１，２−シクロヘキシレン残基またはフェニレン残基である請求項１に記載の方法。
【請求項３】  ＲとＲ’がジメチルアミノ、ジエチルアミノ、ヒドロキシ、メトキシ、エトキシ、塩素またはニトロである請求項１または２に記載の方法。
【請求項４】  ｎが２の場合、基ＲまたはＲ’が各ベンゼン環の４，６−位に存在する、ただしＲまたはＲ’がニトロまたはＣＯ２Ｒ２である場合は、ＲまたはＲ’は各ベンゼン環の３，５−位に存在する、請求項１乃至３のいずれか１項に記載の方法。
【請求項５】  式（１）の化合物が式
【化４】
1999171893.tif 000004
【化５】
1999171893.tif 000005
の化合物の１種またはそれ以上である請求項１乃至４のいずれか１項に記載の方法。
【請求項６】  洗剤の全重量を基準として、成分
（ｉ）５乃至９０重量％の（Ａ）陰イオン界面活性剤および／または（Ｂ）非イオン界面活性剤；
（ii）５乃至７０重量％の（Ｃ）ビルダー；
（iii)０．１乃至３０重量％の（Ｄ）過酸化物、及び；
（iV) ０．００５乃至２重量％の（Ｅ）請求項１記載の式（１）または（２）の化合物、
を含有する洗剤組成物。
【請求項７】  請求項１記載の式（１）または（２）の化合物の２種またはそれ以上の組み合わせを含有する請求項６に記載の洗剤組成物。
【請求項８】  洗剤が粉末形状または顆粒形状である請求項６または７に記載の洗剤組成物。
【請求項９】  洗剤が液体形状でありそして水を０乃至５％含有している請求項６または７に記載の洗剤組成物。
【請求項１０】  洗剤の各成分が乾燥形状で混合されている請求項８に記載の洗剤の製造方法。
【請求項１１】  式（３）
【化６】
1999171893.tif 000006
または式（２）
【化７】
1999171893.tif 000007
［式中、ｎは１、２または３の数、
Ａは陰イオン、
R１は水素またはＣ１−Ｃ４アルキル、
ＲとＲ’は互いに独立的にシアノ、ハロゲン、ヒドロキシ、ＯＲ１またはＣＯＯＲ１（ここでＲ１は上記の意味を有する）、ニトロ、直鎖状または分枝状の部分フッ素化または完全フッ素化Ｃ１−Ｃ８アルキル、ＮＲ３Ｒ４（ここでＲ３とＲ４は互いに同種または異種でありうるものであり、かつその各々は水素または直鎖状または分枝状Ｃ１−Ｃ１２アルキルである）、−Ｎ＋Ｒ１Ｒ３Ｒ４(ここで、Ｒ１、Ｒ３、Ｒ４は前記の意味を有する)または直鎖状または分枝状Ｃ１−Ｃ８アルキレン−Ｒ２（ここでＲ２はＯＲ１、ＣＯＯＲ１またはＮＲ３Ｒ４である）であり、
Ｙ１は−ＣＸ＝ＣＸ−（ここでＸはシアノである）、−(ＣＨ２)ｑ−ＮＲ１−(ＣＨ２)ｑ−（ここでＲ１は上記の意味を有しそしてｑは１、２、３または４である）；式−[Ｃ(Ｒ１)２]ｍの直鎖状または分枝状アルキレン（ここで、ｍは１乃至８の整数であり、Ｒ１は互いに独立的に上記の意味を有する、ただし少なくとも１つのＲ１はＣ１−Ｃ４アルキルである）；または式
【化８】
1999171893.tif 000008
（各式中、Ｒ７は水素、ＣＨ２ＯＨまたはＣＨ２ＮＨ２またはＳＯ３Ｍである、ここでＭは水素、アルカリ金属原子、アンモニウムまたはアミンから形成された陽イオンである）の１，２−シクロヘキシレン残基またはフェニレン残基であり、ただし、ＲとＲ’が共にＣ１−Ｃ４アルキルであり、Ｙ１が未置換の１，２−シクロヘキシレン残基である場合は、ｎは１である、
Ｙは、式−[Ｃ(Ｒ１)２]ｍの直鎖状または分枝状アルキレン（ここで、ｍは１乃至８の整数、R１は互いに独立的に上記の意味を有する）；−ＣＸ＝ＣＸ−（ここでＸはシアノ、直鎖状または分枝状Ｃ１−Ｃ８アルキルまたはジ（直鎖状または分枝状Ｃ１−Ｃ８アルキル）アミノ；
−(ＣＨ２)ｑ−ＮＲ１−(ＣＨ２)ｑ−（ここでR１は上記の意味を有しそしてｑは１、２、３または４である）；または
式
【化９】
1999171893.tif 000009
（式中、Ｒ７は水素、ＣＨ２ＯＨまたはＣＨ２ＮＨ２またはＳＯ３Ｍである、ここでＭは水素、アルカリ金属原子、アンモニウムまたはアミンから形成された陽イオンである）の１，２−シクロヘキシレン残基またはフェニレン残基であり、
Ｒ５とＲ６は互いに独立的に水素；直鎖状または分枝状Ｃ１−Ｃ４アルキル；未置換アリールまたはシアノ、ハロゲン、ヒドロキシ、ＯＲ１またはＣＯＯＲ１、ニトロ、直直鎖状または分枝状Ｃ１−Ｃ８アルキル、ＮＲ３Ｒ４（ここでＲ３とＲ４は互いに同種または異種でありうるものであり、かつその各々は、水素または直鎖状または分枝状Ｃ１−Ｃ１２アルキルである）によって置換されたアリール；−Ｎ＋Ｒ１Ｒ３Ｒ４(ここで、Ｒ１、Ｒ３、Ｒ４は前記の意味を有する)または直鎖状または分枝状のＣ１−Ｃ８アルキレン−Ｒ２（ここでＲ２はＯＲ１、ＣＯＯＲ１またはＮＲ３Ｒ４である）である］のマンガン錯塩。
【請求項１２】  式（４）
【化１０】
1999171893.tif 000010
または式（５）
【化１１】
1999171893.tif 000011
［式中、ｎは１、２または３の数、
Ｒ１は水素またはＣ１−Ｃ４アルキル、
ＲとＲ’は互いに独立的にシアノ、ハロゲン、ヒドロキシ、ＯＲ１またはＣＯＯＲ１（ここでＲ１は上記の意味を有する）、ニトロ、直鎖状または分枝状の部分フッ素化または完全フッ素化Ｃ１−Ｃ８アルキル、ＮＲ３Ｒ４（ここでＲ３とＲ４は互いに同種または異種でありうるものであり、かつその各々は水素または直鎖状または分枝状Ｃ１−Ｃ１２アルキルである）、−Ｎ＋Ｒ１Ｒ３Ｒ４(ここで、Ｒ１、Ｒ３、Ｒ４は前記の意味を有する)または直鎖状または分枝状Ｃ１−Ｃ８アルキレン−Ｒ２（ここでＲ２はＯＲ１、ＣＯＯＲ１またはＮＲ３Ｒ４である）であり、
Ｙ１は−ＣＸ＝ＣＸ−（ここでＸはシアノである）、−(ＣＨ２)ｑ−ＮＲ１−(ＣＨ２)ｑ−（ここでＲ１は上記の意味を有しそしてｑは１、２、３または４である）；式−[Ｃ(Ｒ１)２]ｍの直鎖状または分枝状アルキレン（ここで、ｍは１乃至８の整数であり、Ｒ１は互いに独立的に上記の意味を有する、ただし少なくとも１つのＲ１はＣ１−Ｃ４アルキルである）；または式
【化１２】
1999171893.tif 000012
（各式中、Ｒ７は水素、ＣＨ２ＯＨまたはＣＨ２ＮＨ２またはＳＯ３Ｍである、ここでＭは水素、アルカリ金属原子、アンモニウムまたはアミンから形成された陽イオンである）の１，２−シクロヘキシレン残基またはフェニレン残基であり、ただし、ＲとＲ’が共にＣ１−Ｃ４アルキルであり、Ｙ１が未置換の１，２−シクロヘキシレン残基である場合は、ｎは１である、
Ｙは、式−[Ｃ(Ｒ１)２]ｍの直鎖状または分枝状アルキレン（ここで、ｍは１乃至８の整数、Ｒ１は互いに独立的に上記の意味を有する）；−ＣＸ＝ＣＸ−（ここでＸはシアノ、直鎖状または分枝状Ｃ１−Ｃ８アルキルまたはジ（直鎖状または分枝状Ｃ１−Ｃ８アルキル）アミノ；
−(ＣＨ２)ｑ−ＮＲ１−(ＣＨ２)ｑ−（ここでＲ１は上記の意味を有しそしてｑは１、２、３または４である）；または式
【化１３】
1999171893.tif 000013
（各式中、Ｒ７は水素、ＣＨ２ＯＨまたはＣＨ２ＮＨ２またはＳＯ３Ｍである、ここでＭは水素、アルカリ金属原子、アンモニウムまたはアミンから形成された陽イオンである）の１，２−シクロヘキシレン残基またはフェニレン残基である、
Ｒ５とＲ６は互いに独立的に水素；直鎖状または分枝状Ｃ１−Ｃ４アルキル；未置換アリールまたはシアノ、ハロゲン、ヒドロキシ、ＯＲ１またはＣＯＯＲ１、ニトロ、直直鎖状または分枝状Ｃ１−Ｃ８アルキル、ＮＲ３Ｒ４（ここでＲ３とＲ４は互いに同種または異種でありうるものであり、かつその各々は水素または直鎖状または分枝状Ｃ１−Ｃ１２アルキルである）によって置換されたアリール；−Ｎ＋Ｒ１Ｒ３Ｒ４（ここで、Ｒ１、Ｒ３、Ｒ４は前記の意味を有する）または直鎖状または分枝状のＣ１−Ｃ８アルキレン−Ｒ２（ここでＲ２はＯＲ１、ＣＯＯＲ１またはＮＲ３Ｒ４である）である］の化合物。